(57)【特許請求の範囲】
【請求項１】
基板およびこの基板の一面側に実装された発光素子を有する発光体と；
この発光体の前記基板の他面側が密接するように配設され、前記基板の一面側に向けて開口する挿通孔が設けられた装置本体と；
前記基板の一面側に設けられ、前記発光素子の放射光を反射する反射体と；
前記基板の一面側に設けられ、主たる部分が前記反射体よりも下方に位置する枠体と；
前記反射体および前記枠体のいずれか一方に設けられ、他方を装置本体側に支持する支持部および先端の係止爪が前記挿通孔に挿通されて弾性的に前記装置本体に係止する係止片を有しており、一方を前記装置本体に取付ける係止部と；
前記発光素子に電力を供給する電源装置と；
を具備していることを特徴とする照明装置。
【請求項２】
係止部は反射体に設けられており、枠体の上端に反射体側に突出する鍔部が設けられていて、この鍔部が反射体の支持部に支持されることで枠体が支持されていることを特徴とする請求項１記載の照明装置。
【請求項３】
係止部は枠体に設けられており、反射体の下端側が枠体の支持部に支持されることで反射体が支持されていることを特徴とする請求項１記載の照明装置。
【発明の詳細な説明】
【技術分野】
【０００１】
本発明の実施形態は、ＬＥＤ等の発光素子を用いた照明装置に関する。
【背景技術】
【０００２】
光源としてＬＥＤ等の発光素子を基板に複数実装して所定の光量を得るようにした照明装置が提供されている。この照明装置は、例えば、天井面に埋め込んで使用されるダウンライトとして用いられている。
【０００３】
ダウンライトは、例えば、外面に放熱フィンおよび取付けばねを有する装置本体と、基板にＬＥＤが実装された光源（発光体）と、ＬＥＤから放射される光をＬＥＤごとに個別に配光制御する反射体と、化粧枠を有し、この化粧枠と装置本体の取付けばねにより装置本体を天井面に固定するバッフル（枠体）とを備えている。そして、光源、反射体およびバッフルは、それぞれ固定ねじにより装置本体の下面側に取り付けられている。
【先行技術文献】
【特許文献】
【０００４】
【特許文献１】特開２０１０−１６００３号公報（第７頁、第３図）
【発明の概要】
【発明が解決しようとする課題】
【０００５】
ダウンライトの組み立てにおいて、装置本体に光源、反射体およびバッフルをねじ止めする作業は、時間を要し、組み立ての作業効率を低下させるという欠点を有する。
【０００６】
本実施形態は、組み立ての作業効率が向上される照明装置を提供することを目的とする。
【課題を解決するための手段】
【０００７】
本実施形態の照明装置は、発光体、装置本体、枠体、係止片および電源装置を有して構成される。
【０００８】
発光体は、基板およびこの基板の一面側に実装された発光素子を有して形成される。
【０００９】
装置本体は、発光体の基板の他面側が密接するように配設され、基板の一面側に向けて開口する挿通孔が設けられている。
【００１０】
反射体は、基板の一面側に設けられ、発光素子の放射光を反射する。
【００１１】
枠体は、基板の一面側に設けられ、主たる部分が反射体よりも下方に位置している。
【００１２】
係止部は、反射体および枠体のいずれか一方に設けられ、他方を装置本体側に支持する支持部および先端の係止爪が挿通孔に挿通されて弾性的に前記装置本体に係止する係止片を有しており、一方を装置本体に取付けるものである。
【００１３】
そして、電源装置は、発光素子に電力を供給するように構成されている。
【発明の効果】
【００１４】
本発明の実施形態によれば、係止片の係止爪が弾性的に装置本体に係止することにより、装置本体に発光体、反射体および枠体が固定されるので、照明装置の組み立ての作業時間を短縮できることが期待できる。
【図面の簡単な説明】
【００１５】
【図１】本発明の第１の実施形態に係る照明装置を示す斜視図である。
【図２】同一部を断面して示す正面図である。
【図３】同照明装置を天井面に取付けた状態を示す側面図である。
【図４】本発明の第２の実施形態に係る照明装置を示す一部拡大断面図である。
【発明を実施するための形態】
【００１６】
以下、本発明の実施形態に係る光源ユニット及び照明装置について図１ないし図４を参照して説明する。
【００１７】
図１及び図３において、ダウンライト本体１は、熱伝導性の装置本体としての筒状本体２と、この筒状本体２に取付けられた枠体としての化粧枠３と、筒状本体２の内側に取付けられ、光源である発光素子としてのＬＥＤ１０が実装された基板４と、反射体６及び反射体６の前方に配設された透光性カバー７とを備えている。発光体は基板４およびＬＥＤ１０によって構成されている。筒状本体２の上部外面には、受電コネクタ９が配置されている。
【００１８】
化粧枠３には、一対の取付け用板ばね８が装着されていて、この板ばね８を含んだ主たる部分が反射体６よりも下方側に位置するように筒状本体２に取付けられている。そして、前記基板４と反射体６とで光源ユニットを構成している。
【００１９】
筒状本体２は、アルミダイカスト製の熱伝導良好な材料で形成されており、その外面が白色のメラミン樹脂系塗料によって焼付塗装されている。筒状本体２は、
【００２０】
発光体の基板４の裏面側が密接する基体部２ａを有しており、この基体部２ａから縦方向に延びる複数の放熱フィン２ｂが形成されている。また、筒状本体２の放熱フィン２ｂが形成されていない基体部２ｃには挿通孔２ｃが複数形成されており、基板４および反射体６が収容される内側収容空間と放熱フィン２ｂが形成された外側空間とが連通している。
【００２１】
基板４は、略円形の板状をなし、表面側には、光源となるＬＥＤ１０が表面実装方式で複数個、具体的には、中央部に４個、その周囲に８個、さらに最外周に１４個の合計２６個が実装されている。基板４は、ガラスエポキシ樹脂の略円形の平板からなり、筒状本体２と熱的に結合されるようになっている。なお、基板４の材料は、絶縁材とする場合には、放熱特性が比較的良好で、耐久性に優れたセラミック材料又は合成樹脂材料を適用できる。また、金属製とする場合は、アルミニウム等の熱伝導性が良好で放熱性に優れた材料を適用するのが好ましい。
【００２２】
基板４の表面側には、白色のポリカーボネートやＡＳＡ樹脂等によって形成された反射体６が配設されている。反射体６は、ＬＥＤ１０から放射される光をＬＥＤ１０ごとに個別に配光制御し、効率的に照射する機能をなしている。受電コネクタ９は、基板４に設けられた端子を介してＬＥＤ１０と電気的に接続されており、筒状本体２の外周方向に突出して設けられている。
【００２３】
係止部２０は、係止片２１および支持部２２から構成される。本実施形態では係止部２０は化粧枠３に一体的に設けられている。係止片２１は、反射体６の外周よりも外側に位置するように化粧枠３の上端縁から弾性的に揺動可能に突設され、先端の係止爪が挿通孔２ｃに挿通されて弾性的に筒状本体２の基板部２aに係止される。この係止片２１が係止された状態で、化粧枠３の上端縁内側に形成された段部からなる支持部２２に反射体６の下端外周縁部が係合した状態で支持される。この反射体６の支持によって基板４も基板部２ａの内面に当接され、ＬＥＤ１０の熱が放熱フィン２ｂに効率よく伝導される。
【００２４】
このように、本実施形態によれば、係止片２１の係止爪が弾性的に筒状本体２に係止されることにより、筒状本体２に発光体（基板４、ＬＥＤ１０）、反射体６および化粧枠３が固定されるので、照明装置１の組み立ての作業時間を短縮することができる。
【００２５】
次に、図３においては、照明装置としてのダウンライト本体１と電源装置としての電源ユニット５とが天井面へ設置されて接続された状態が示されている。本実施形態においては、このダウンライト本体１と電源ユニット５とが接続されることによって照明装置が構成される。
【００２６】
電源ユニット５は、ダウンライト本体１の光源に電力を供給し、その点灯回路によって光源を点灯制御するもので、商用電源を受けて所定の直流電圧を出力する直流電源の機能を有している。この電源ユニット５は、概略船形の形状をなし、電源回路１１が取付けられたケース本体１２、このケース本体を覆うカバー部材１３、商用電源の電源線ＰＷ（アース線を含む。）と接続される電源端子台１４、ダウンライト本体１の受電コネクタ９と接続される給電コネクタ１５を有する口出し線１６を備えている。
【００２７】
このような照明装置の設置にあたっては、まず、天井Ｃ裏に配線されている電源線ＰＷを天井Ｃに形成された埋込穴Ｈから引き出し、電源ユニット５の電源端子台１４に接続し、続いて、給電コネクタ１５をダウンライト本体１の受電コネクタ９に接続する。次いで、電源ユニット５を埋込穴Ｈから挿入し、天井Ｃ裏に配置する。次に、ダウンライト本体１の一対の取付け用板ばね８を両手で弾性力に抗して押し窄めるように操作して、ダウンライト本体１を支えながら埋込穴Ｈから挿入する。ダウンライト本体１が埋込穴Ｈに挿入されるに伴い、手を離しダウンライト本体１を押し上げる。これにより、取付け用板ばね８が外側方向に復帰して天井Ｃ裏面に当接し、この弾性力によってダウンライト本体１が上方に引き上げられて、化粧枠３のフランジ３ａが埋込穴Ｈの周縁に圧接され、ダウンラ
イト本体１が天井Ｃ面に設置される。
【００２８】
図４は、本発明の第２の実施形態に係る照明装置を示す一部拡大断面図である。図４において、図１ないし図３と同一の構成については同一符号を付し、第１の実施形態と同一の構成に係る部分の説明は省略する。
【００２９】
本実施形態では、係止部２０は反射体６に設けられている。化粧枠３の上端縁からは、反射体６側に突出する鍔部３ｂが設けられている。この鍔部３ｂには、反射体６の外周下端縁から上方に一体的に突設された支持部２２の先端が当接して支持される。
【００３０】
係止片２１は、反射体６に設けられた支持部２２の内側部分から弾性的に揺動可能に突設され、先端の係止爪が挿通孔２ｃに挿通されて弾性的に筒状本体２の基板部２aに係止される。この係止片２１が係止された状態で、反射体６に設けられた支持部２２に化粧枠３の鍔部３ｂが係合した状態で支持される。この反射体６の支持によって基板４も基板部２ａの内面に当接され、ＬＥＤ１０の熱が放熱フィン２ｂに効率よく伝導される。
【００３１】
このように、本実施形態によれば、係止片２１の係止爪が弾性的に筒状本体２に係止されることにより、筒状本体２に発光体（基板４、ＬＥＤ１０）、反射体６および化粧枠３が固定されるので、照明装置１の組み立ての作業時間を短縮することができる。
【００３２】
なお、本発明は、上記各実施形態の構成に限定されることなく、発明の要旨を逸脱しない範囲で種々の変形が可能である。例えば、光源ユニットは、ダウンライトに用いるのが好適であるが、スポットライトや屋内又は屋外で使用される各種照明装置に適用可能である。
【符号の説明】
【００３３】
１・・・ダウンライト本体、２・・・装置本体としての筒状本体、２ｃ・・・挿通孔、３・・・枠体としての化粧枠、３ｂ・・・鍔部、４・・・基板、５・・・電源装置としての電源ユニット、６・・・反射体、１０・・・発光素子（ＬＥＤ）、２０・・・係止部、２１・・・径止片、２２・・・支持部
【図１】
0005812349.tif 000002
【図２】
0005812349.tif 000003
【図３】
0005812349.tif 000004
【図４】
0005812349.tif 000005